(57)【要約】【課題】収納袋の有価媒体処理装置への取付け間違えを抑制する。【解決手段】収納袋に有価媒体を収納する有価媒体処理装置であって、収納袋が取付けられる１以上の取付部と、収納袋に付された識別情報と収納袋が取り付けられた取付部の取付情報とを取得する取得部と、取得部が取得した識別情報と取付情報とを関連付ける関連付け部と、を有する。【選択図】図１２
2019179396.tif 000002
【特許請求の範囲】
【請求項１】
収納袋に有価媒体を収納する有価媒体処理装置であって、
前記収納袋が取付けられる１以上の取付部と、
前記収納袋に付された識別情報と前記収納袋が取り付けられた前記取付部の取付情報とを取得する取得部と、
前記取得部が取得した前記識別情報と前記取付情報とを関連付ける関連付け部と、
を有する有価媒体処理装置。
【請求項２】
前記取付部は、前記収納袋の取付けを検出する検出部を備え、
前記取得部は、前記検出部が前記収納袋の取付けを検出した際、前記収納袋が取付けられた前記取付部の前記取付情報を取得する、
請求項１に記載の有価媒体処理装置。
【請求項３】
複数の前記取付部を有し、
前記取得部は、前記検出部が前記収納袋の取付けを検出した際、前記収納袋が取付けられた前記取付部を識別する前記取付情報を取得する、
請求項１に記載の有価媒体処理装置。
【請求項４】
前記関連付け部は、前記取得部が前記取付情報と前記識別情報とを交互に取得する場合、交互に取得される前記取付情報と前記識別情報とを１組にして関連付ける、
請求項３に記載の有価媒体処理装置。
【請求項５】
前記取付情報および前記識別情報を記憶する記憶部をさらに備え、
前記関連付け部は、前記記憶部に記憶される前記取付情報および前記識別情報の順番に基づいて、前記取付情報と前記識別情報と連付ける、
請求項３に記載の有価媒体処理装置。
【請求項６】
前記取付情報および前記識別情報のいずれか一方が連続して前記記憶部に記憶され、その後前記取付情報および前記識別情報の他方が連続して前記記憶部に記憶される場合、
前記関連付け部は、連続して記憶される前記取付情報および前記識別情報のいずれか一方の順番と、連続して記憶される前記取付情報および前記識別情報のいずれか他方との順番とを合わせ、前記取付情報と前記識別情報とを関連付ける、
請求項５に記載の有価媒体処理装置。
【請求項７】
前記取得部は、前記収納袋が前記取付部に取付けられる前に、前記識別情報を取得する、
請求項１乃至６のいずれか一項に記載の有価媒体処理装置。
【請求項８】
前記取付情報および前記識別情報を読み取る読取装置をさらに有し、
前記取付情報は、前記取付部に付され、
前記取得部は、前記読取装置から前記取付部に付された前記取付情報および前記収納袋に付された前記識別情報を取得する、
請求項３に記載の有価媒体処理装置。
【請求項９】
前記取付情報は、前記読取装置によって、前記取付部に取付けられた前記収納袋の識別情報と一括して読み取りが可能な位置に付されている、
請求項８に記載の有価媒体処理装置。
【請求項１０】
前記取付情報は、前記取付部に取付けられた前記収納袋の前記識別情報が向いている方向と同じ方向を向くように前記取付部に付されている、
請求項８に記載の有価媒体処理装置。
【請求項１１】
前記取付部の取付情報は、前記読取装置が読み取り可能な方向を向くように付され、
前記取付部は、前記収納袋の識別情報が前記方向を向くように、前記収納袋が取り付けられ機構を備える、
請求項８に記載の有価媒体処理装置。
【請求項１２】
前記取付部は、前記収納袋の開口を保持する第１取付部および第２取付部を備え、
前記第１取付部と前記第２取付部は、互いに異なる形状を有している、
請求項１１に記載の有価媒体処理装置。
【請求項１３】
前記第１取付部と前記第２取付部は、互いに異なる数の突起部を有する、
請求項１２に記載の有価媒体処理装置。
【請求項１４】
前記第１取付部と前記第２取付部は、互いに異なる位置に突起部を有する、
請求項１２に記載の有価媒体処理装置。
【請求項１５】
前記第１取付部と前記第２取付部は、互いに異なる形状の突起部を有する、
請求項１２に記載の有価媒体処理装置。
【請求項１６】
前記取得部は、前記読取装置によって、前記識別情報および前記取付情報のいずれか一方のみ読み取りがされた場合、ユーザに対しメッセージを通知する、
請求項９に記載の有価媒体処理装置。
【請求項１７】
前記検出部が前記収納袋の取付けを検知した後、
前記取得部は、前記読取装置によって、所定時間内に前記識別情報および前記取付情報の少なくとも一方の読取がされない場合、ユーザに対しメッセージを通知する、
請求項９に記載の有価媒体処理装置。
【請求項１８】
有価媒体処理装置が備える一以上の取付部に取付けられ、有価媒体を収納する収納袋に付されている、前記収納袋を識別する識別情報を読み取る読取装置から、前記識別情報を受信する受信部と、
前記受信部が受信した前記識別情報が付された収納袋が取付けられた取付部の取付情報を取得する取付情報取得部と、
前記受信部が受信した前記識別情報と前記取付情報取得部が取得した前記取付情報とを関連付ける制御部と、
を有する情報処理装置。
【請求項１９】
有価媒体を収納する収納袋が取付けられる一以上の取付部を備える有価媒体処理装置と、
前記収納袋に付されている、前記収納袋を識別する識別情報を読み取る読取装置から、前記識別情報を受信する受信部と、前記受信部が受信した前記識別情報が付された収納袋が取付けられた取付部の取付情報を取得する取付情報取得部と、前記受信部が受信した前記識別情報と前記取付情報取得部が取得した前記取付情報とを関連付ける制御部と、を有する情報処理装置と、
を有する有価媒体処理システム。
【請求項２０】
収納袋に有価媒体を収納する有価媒体処理装置の収納袋管理方法であって、
前記有価媒体処理装置の取付部に取付けられる前記収納袋に付された識別情報を受信する工程と、
前記収納袋が取り付けられた前記取付部の取付情報を取得する工程と、
受信した前記識別情報と前記取付情報取得部が取得した前記取付情報とを関連付ける工程と、
を含む有価媒体処理方法。
【発明の詳細な説明】
【技術分野】
【０００１】
本発明は、有価媒体処理装置、情報処理装置、有価媒体処理システム、および有価媒体処理方法に関する。
【背景技術】
【０００２】
特許文献１には、パウチ袋等の収納袋に、紙幣を収納する紙幣収納機構が開示されている。また、特許文献１には、収納袋へのアクセスを規制することによって、回収されるべき収納袋以外の収納袋が装着部から取り外されて回収されることを防止し、防盗性を高めることが開示されている。
【先行技術文献】
【特許文献】
【０００３】
【特許文献１】特開２０１６−１４６１４２号公報
【発明の概要】
【発明が解決しようとする課題】
【０００４】
しかしながら、複数の収納袋が装置にセットされる場合、収納袋の取付け場所を間違えると、収納袋内の紙幣の在高と、装置でデータ管理している在高とが異なる場合がある。
【０００５】
例えば、収納袋ａは、紙幣処理装置の取付部Ａにセットされ、収納袋ｂは、紙幣処理装置の取付部Ｂにセットされると決まっているとする。しかし、収納袋ａが、紙幣処理装置の取付部Ｂにセットされ、収納袋ｂが、紙幣処理装置の取付部Ａにセットされた場合、収納袋ａ，ｂのそれぞれに収納されている紙幣の在高と、装置でデータ管理している収納袋ａ，ｂの在高とが、入れ違いとなる場合がある。
【０００６】
そこで本発明は、収納袋の有価媒体処理装置への取付け間違えを抑制できる技術を提供することを目的とする。
【課題を解決するための手段】
【０００７】
本発明の有価媒体処理装置は、収納袋に有価媒体を収納する有価媒体処理装置であって、前記収納袋が取付けられる１以上の取付部と、前記収納袋に付された識別情報と前記収納袋が取り付けられた前記取付部の取付情報とを取得する取得部と、前記取得部が取得した前記識別情報と前記取付情報とを関連付ける関連付け部と、を有する。
【０００８】
本発明の情報処理装置は、有価媒体処理装置が備える一以上の取付部に取付けられ、有価媒体を収納する収納袋に付されている、前記収納袋を識別する識別情報を読み取る読取装置から、前記識別情報を受信する受信部と、前記受信部が受信した前記識別情報が付された収納袋が取付けられた取付部の取付情報を取得する取付情報取得部と、前記受信部が受信した前記識別情報と前記取付情報取得部が取得した前記取付情報とを関連付ける制御部と、を有する。
【０００９】
本発明の有価媒体処理システムは、有価媒体を収納する収納袋が取付けられる一以上の取付部を備える有価媒体処理装置と、前記収納袋に付されている、前記収納袋を識別する識別情報を読み取る読取装置から、前記識別情報を受信する受信部と、前記受信部が受信した前記識別情報が付された収納袋が取付けられた取付部の取付情報を取得する取付情報取得部と、前記受信部が受信した前記識別情報と前記取付情報取得部が取得した前記取付情報とを関連付ける制御部と、を有する情報処理装置と、を有する。
【００１０】
本発明の有価媒体処理方法は、収納袋に有価媒体を収納する有価媒体処理装置の収納袋管理方法であって、前記有価媒体処理装置の取付部に取付けられる前記収納袋に付された識別情報を受信する工程と、前記収納袋が取り付けられた前記取付部の取付情報を取得する工程と、受信した前記識別情報と前記取付情報取得部が取得した前記取付情報とを関連付ける工程と、を有する。
【発明の効果】
【００１１】
本発明によれば、収納袋の有価媒体処理装置への取付け間違えを抑制できる。
【図面の簡単な説明】
【００１２】
【図１】第１の実施の形態に係る紙幣処理装置の概略構成図である。
【図２】紙幣処理装置の制御系のブロック構成例を示した図である。
【図３】収納袋の斜視図である。
【図４】図１のフレームの取付部およびステージの斜視図である。
【図５】収納袋の開口が閉じられる様子を説明する図である。
【図６】記憶部のデータ構成例を示す図である。
【図７】記憶部のデータ構成例を示す図である。
【図８】操作表示部に表示される画面例を示した図のその１である。
【図９】操作表示部に表示される画面例を示した図のその２である。
【図１０】操作表示部に表示される画面例を示した図のその３である。
【図１１】操作表示部に表示される画面例を示した図のその４である。
【図１２】制御部の動作例を示したフローチャートである。
【図１３】第２の実施の形態に係るフレームの斜視図である。
【図１４】ユーザの操作手順例を示した図である。
【図１５】制御部の動作例を示したフローチャートである。
【図１６】フレームのバーコードと収納袋のバーコードとの向きを説明する図である。
【図１７】収納袋のバーコードの印刷位置の一例を示した図である。
【図１８】収納袋のたくれた例を示した図である。
【図１９】収納袋がたくれたときのバーコードの様子を示した図である。
【発明を実施するための形態】
【００１３】
以下、本発明の実施の形態を、図面を参照して説明する。以下では、有価媒体処理装置を紙幣処理装置に適用した例について説明する。
【００１４】
［第１の実施の形態］
図１は、第１の実施の形態に係る紙幣処理装置１の概略構成図である。図１に示すように、紙幣処理装置１は、投入部２と、搬送部３と、識別部４と、収納繰出部５と、投出部６と、フレーム７，８と、操作表示部９と、バーコードリーダ１０と、制御部３０と、を有している。図１には、フレーム７，８に取付けられた収納袋２１，２２も示してある。図１に示す紙幣処理装置１は、例えば、スーパーマーケット等の店舗や銀行等に設置され、入出金処理等の様々な処理を行う。以下では、紙幣処理装置１に対し、図１に示すｘ、ｙ、ｚ軸の直交座標系を設定する。
【００１５】
投入部２には、ユーザにより紙幣が投入される。投入部２は、繰出機構部２ａを有している。投入部２は、ユーザが投入した紙幣を、繰出機構部２ａによって１枚ずつ搬送部３に繰り出す。
【００１６】
識別部４は、投入部２の下流、かつ、収納繰出部５、投出部６、およびフレーム７，８の上流であって、搬送部３の周辺に設けられている。識別部４は、各種センサ（図示せず）を備え、搬送部３で搬送される紙幣の金種、真偽、表裏、正損、新旧等を識別する。搬送部３で搬送される紙幣は、識別部４の識別結果またはユーザの操作等に応じて、収納繰出部５、投出部６、およびフレーム７，８（収納袋２１，２２）のいずれかに搬送される。
【００１７】
収納繰出部５は、いわゆる巻き取り式の紙幣収納繰出機構を備えている。収納繰出部５は、搬送部３で搬送された紙幣を一時的に収納し、また、一時的に収納した紙幣を搬送部３に繰り出す。
【００１８】
投出部６には、搬送部３から搬送された紙幣が集積される。投出部６は、羽根車を回転する羽根車駆動部６ａを有している。投出部６は、搬送部３から搬送された紙幣を、回転する羽根車によって整列して集積する。ユーザは、投出部６に集積された紙幣を、紙幣処理装置１の前面から取出すことができる。
【００１９】
フレーム７は、取付部７ａａ，７ａｂと、ステージ７ｂａ，７ｂｂと、を有している。取付部７ａａ，７ａｂには、収納袋２１が懸架される。収納袋２１は、開口が開いた状態で、取付部７ａａ，７ａｂに懸架される。開口が開いた状態の収納袋２１には、搬送部３で搬送される紙幣が収納される。
【００２０】
ステージ７ｂａは、後述する制御部３０の制御に応じて、ステージ７ｂｂに向って移動する。ステージ７ｂａのステージ７ｂｂへの移動によって、収納袋２１の上部は閉じられる（図５参照）。
【００２１】
フレーム８は、取付部８ａａ，８ａｂと、ステージ８ｂａ，８ｂｂと、を有している。取付部８ａａ，８ａｂには、収納袋２２が懸架される。収納袋２２は、開口が開いた状態で、取付部８ａａ，８ａｂに懸架される。開口が開いた状態の収納袋２２には、搬送部３で搬送される紙幣が収納される。
【００２２】
ステージ８ｂａは、制御部３０の制御に応じて、ステージ８ｂｂに向って移動する。ステージ８ｂａのステージ８ｂｂの移動によって、収納袋２２の上部は閉じられる（図５参照）。
【００２３】
操作表示部９は、例えば、タッチパネルである。操作表示部９は、紙幣処理装置１に関する各種情報を表示する。例えば、操作表示部９は、紙幣の入出金処理の処理状況や、収納袋２１，２２に収納されている紙幣の在高等に関する情報を表示する。また、操作表示部９は、ユーザ操作を受付け、受付けたユーザ操作の情報を、制御部３０に送信する。
【００２４】
バーコードリーダ１０は、バーコードを読み取る。バーコードリーダ１０は、読み取ったバーコードの情報を、制御部３０に送信する。
【００２５】
なお、図１では、フレームは２つしか示していないが、３以上あってもよい。すなわち、紙幣処理装置１は、３以上の収納袋が取付けられ、それぞれに紙幣が収納されてもよい。
【００２６】
図２は、紙幣処理装置１の制御系のブロック構成例を示した図である。図２において、図１と同じものには同じ符号が付してある。
【００２７】
図２に示すように、制御部３０には、図１で説明した繰出機構部２ａ、搬送部３、識別部４、収納繰出部５、羽根車駆動部６ａ、フレーム７，８、および操作表示部９が接続されている。また、制御部３０には、図１に図示していない記憶部６１および通信インタフェース部６２が接続されている。制御部３０は、例えば、ＣＰＵ（Central Processing Unit）で構成され、接続されている各部を制御する。
【００２８】
フレーム７は、ステージ駆動部４１と、加熱部４２と、センサ４３と、を有している。フレーム８は、ステージ駆動部５１と、加熱部５２と、センサ５３と、を有している。ステージ駆動部４１，５１、加熱部４２，５２、およびセンサ４３，５３については、以下で詳述する。
【００２９】
記憶部６１には、制御部３０が動作するためのプログラムが記憶されている。また、記憶部６１には、制御部３０が計算処理を行うためのデータや、接続されている各部を制御するためのデータ等が記憶される。
【００３０】
通信インタフェース部６２には、バーコードリーダ１０が接続される。制御部３０は、通信インタフェース部６２を介して、バーコードリーダ１０と通信を行う。バーコードリーダ１０は、通信インタフェース部６２に対し、着脱可能となっていてもよい。
【００３１】
また、通信インタフェース部６２には、例えば、インターネット等を介して、上位装置（図示せず）が接続される。制御部３０は、通信インタフェース部６２を介して、上位装置と通信を行う。例えば、制御部３０は、通信インタフェース部６２を介して、紙幣処理装置１の在高の情報等を上位装置に送信する。
【００３２】
次の図３で説明するが、収納袋２１，２２には、収納袋２１，２２を識別するバーコードが付されている。通信インタフェース部６２は、バーコードリーダ１０が読み取った収納袋２１，２２のバーコードが示す識別情報を受信する。制御部３０は、通信インタフェース部６２が受信した識別情報が付された収納袋２１，２２が取付けられたフレーム７，８のフレーム情報（フレーム７，８を識別する情報）を取得し、取得したフレーム情報と、通信インタフェース部６２が受信した識別情報とを関連付ける。制御部３０は、関連付けた情報を記憶部６１に記憶する。
【００３３】
図３は、収納袋２１の斜視図である。図３に示すように、収納袋２１は、上部に穴７１ａ〜７１ｃ，７２ａ〜７２ｃを有している。穴７１ａ，７１ｂの間隔と、穴７１ｂ，７１ｃの間隔は、異なっており、穴７１ａ，７１ｂの間隔は、穴７１ｂ，７１ｃの間隔より、大きくなっている。また、穴７１ａ，７１ｂの間隔と、穴７１ａ，７１ｂに対向する穴７２ａ，７２ｂの間隔は、同じ（略同じを含む）になっている。穴７１ｂ，７１ｃの間隔と、穴７１ｂ，７１ｃに対向する穴７２ｂ，７２ｃの間隔は、同じになっている。
【００３４】
収納袋２１は、例えば、ポリエチレンを材料とした袋である。収納袋２１は、上部に開口を有している。搬送部３で搬送された紙幣は、収納袋２１の開口から収納される。
【００３５】
収納袋２１には、バーコード７３が印刷されている。バーコード７３は、収納袋２１を識別する識別情報を示している。識別情報は、例えば、収納袋２１のシリアルナンバーであってもよい。バーコード７３は、収納袋２１の両面に印刷されてもよい。
【００３６】
収納袋２２も、図３に示す収納袋２１と同様の構成し、穴を有している。また、収納袋２２には、収納袋２１と同様に、バーコードが印刷されている。ただし、収納袋２２に印刷されているバーコードは、収納袋２２を識別する識別情報であり、収納袋２１のバーコード７３と異なった識別情報を示す。
【００３７】
図４は、図１のフレーム７の取付部７ａａ，７ａｂおよびステージ７ｂａ，７ｂｂの斜視図である。図４に示すように取付部７ａａは、上面にピン（突起）８１ａ〜８１ｃを有している。取付部７ａｂは、上面にピン８２ａ〜８２ｃを有している。取付部７ａａ，７ａｂは、同一水平面上（ｘｙ平面上）に配置されて、フレーム７に固定されている。
【００３８】
ピン８１ａ，８１ｂの間隔と、ピン８１ｂ，８１ｃの間隔は、異なっており、ピン８１ａ，８１ｂの間隔は、ピン８１ｂ，８１ｃの間隔より、大きくなっている。また、ピン８１ａ，８１ｂの間隔と、ピン８１ａ，８１ｂに対向するピン８２ａ，８２ｂの間隔は、同じになっている。ピン８１ｂ，８１ｃの間隔と、ピン８１ｂ，８１ｃに対向するピン８２ｂ，８２ｃの間隔は、同じになっている。
【００３９】
ピン８１ａ〜８１ｃには、収納袋２１に設けられた穴７１ａ〜７１ｃが係合される。ピン８２ａ〜８２ｃには、収納袋２１に設けられた穴７２ａ〜７２ｃが係合される。これにより、収納袋２１は、取付部７ａａ，７ａｂに懸架され、図１に示したように、フレーム７に取付けられる。また、取付部７ａａ，７１ａｂのピン８１ａ〜８１ｃ，８２ａ〜８２ｃの間隔は、図４に示すように構成され、収納袋２１の穴７１ａ〜７１ｃ，７２ａ〜７２ｃの間隔は、図３に示すように構成される。これにより、収納袋２１のバーコード７３は、収納袋２１が取付部７ａａ，７１ａｂに取付けられたとき、＋ｙ軸方向を向く。言い換えれば、収納袋２１は、バーコード７３が−ｙ軸方向を向くように取付けられない。つまり、収納袋２１は、バーコード７３が所定の方向を向くように取付けられる。
【００４０】
取付部７ａｂは、取付部７ａａと対向する面に、センサ４３を有している。センサ４３は、収納袋２１の取付部７ａａ，７ａｂへの取付けを検出する。センサ４３は、例えば、収納袋２１の取付部７ａａ，７ａｂへの取付けにより遮光されることで、収納袋２１の取付を検出する光学センサである。センサ４３は、収納袋２１の取付部７ａａ，７ａｂへの取付けを検出すると、収納袋２１がフレーム７に取付けられたことを示す検出信号を制御部３０に送信する。
【００４１】
ステージ７ｂａは、±ｙ軸方向に移動できるように、フレーム７に設けられている。一方、ステージ７ｂｂは、フレーム７に固定されている。
【００４２】
ステージ７ｂａは、ステージ駆動部４１によって、±ｙ軸方向に移動する。ステージ７ｂａ，７ｂｂは、同一水平面上（ｘｙ平面上）に配置されており、ステージ７ｂａは、−ｙ軸方向に移動すると、ステージ７ｂｂと接触するようになっている。
【００４３】
ステージ７ｂａは、収納袋２１が取付部７ａａ，７ａｂに取付けられるとき、または、収納袋２１に紙幣が収納されるとき、ステージ７ｂｂから離れた位置に移動（配置）されている（図１または図４に示す位置に移動している）。一方、ステージ７ｂａは、収納袋２１が回収されるとき、ステージ７ｂｂに向って移動する。これにより、収納袋２１の開口は、閉じられる。
【００４４】
図５は、収納袋２１の開口が閉じられる様子を説明する図である。図５において、図１および図４と同じものには同じ符号が付してある。なお、図５では、図４に示したピン８１ａ〜８１ｃ，８２ａ〜８２ｃの図示を省略している。また、図５では、収納袋２１に収納された紙幣Ｐ１が示してある。
【００４５】
ステージ７ｂａは、ステージ駆動部４１によって、ステージ７ｂｂに向って移動する（−ｙ軸方向に向って移動する）。例えば、ステージ７ｂａは、紙幣Ｐ１が紙幣処理装置１から回収されるとき、ステージ７ｂｂに向って移動する。収納袋２１の開口は、ステージ７ｂａの移動によって、図５に示すように閉じられる。
【００４６】
ステージ７ｂａは、内部にヒータ等の加熱部４２を有している。加熱部４２は、ステージ７ｂａのステージ７ｂｂと対向している面を加熱する。加熱部４２は、ステージ７ｂａがステージ７ｂｂへ移動して、収納袋２１の開口が閉じられると、制御部３０の制御によって、温度が上昇する。
【００４７】
加熱部４２の温度が上昇すると、収納袋２１のステージ７ｂａ，７ｂｂで挟まれている部分は、熱溶着される。これにより、収納袋２１の開口は閉じられ、収納袋２１に収納された紙幣Ｐ１は、収納袋２１に封入される。
【００４８】
なお、上記では、ステージ７ｂａが、ステージ７ｂｂに向って移動するとしたが、これに限られない。ステージ７ｂｂが、ステージ７ｂａに向って移動してもよい。また、ステージ７ｂａが、ステージ７ｂｂに向って移動し、かつ、ステージ７ｂｂが、ステージ７ｂａに向って移動してもよい。
【００４９】
また、上記では、センサ４３は、取付部７ａｂに取付けられるとしたが、取付部７ａａに取付けられてもよい。また、センサ４３は、取付部７ａａ，７ａｂの両方に取付けられてもよい。また、センサ４３は、収納袋２１の取付けを検出できるものであればよく、光学センサに限られない。
【００５０】
また、上記では、加熱部４２は、ステージ７ｂａに備えられるとしたが、これに限られない。加熱部４２は、ステージ７ｂｂに設けられてもよいし、ステージ７ｂａ，７ｂｂの両方に設けられてもよい。
【００５１】
また、上記では、フレーム７の取付部７ａａ，７ａｂおよびステージ７ｂａ，７ｂｂについて説明したが、フレーム８の取付部８ａａ，８ａｂおよびステージ８ｂａ，８ｂｂも同様である。例えば、取付部８ａａ，８ａｂも、フレーム７の取付部７ａａ，７ａｂと同様に、収納袋２２を懸架するピンを有している。また、取付部８ａｂは、収納袋２２の取付けを検出するセンサを５３を有している。また、ステージ８ｂａは、ステージ駆動部５１によって、±ｙ軸方向に移動する。また、ステージ８ｂａは、内部に加熱部５２を有している。
【００５２】
また、センサ４３は、フレーム７の取付部７ａｂに取付けられ、フレーム７と関連付けられている。センサ５３は、フレーム８の取付部８ａｂに取付けられ、フレーム８と関連付けられている。従って、制御部３０は、センサ４３から検出信号が出力されると、フレーム７に収納袋が取付けられたと判定できる。また、制御部３０は、センサ５３から検出信号が出力されると、フレーム８に収納袋が取付けられたと判定できる。
【００５３】
従来の紙幣処理装置では、収納袋を取付けるフレーム（取付部）が予め決まっていた。すなわち、ユーザは、所定の収納袋を、所定のフレームに取付けなければならなった。
【００５４】
これに対し、紙幣処理装置１では、収納袋２１，２２を取付けるフレーム７，８は予め決まっておらず、ユーザは、収納袋２１，２２を、フレーム７，８のどちらに取付けてもよい。すなわち、紙幣処理装置１は、収納袋２１，２２を、フレーム７，８のどちらにも取付け可能にすることによって、収納袋２１，２２のフレーム７，８への取付け間違えを抑制する。
【００５５】
以下では、収納袋２１に印刷されているバーコード７３が示す識別情報を「１２３４５６７８９」とする。収納袋２２に印刷されているバーコードが示す識別情報を「９８７６５４３２１」とする。フレーム７のフレーム情報を「Ａ」とする。フレーム８のフレーム情報を「Ｂ」とする。
【００５６】
まず、フレーム７，８には、収納袋２１，２２が取付けられていないとする。この状態において、ユーザは、バーコードリーダ１０を用いて、収納袋２１，２２のどちらか一方に印刷されているバーコードを読み取る。ユーザは、収納袋２１，２２のどちらのバーコードを読み取ってもよく、ここでは、収納袋２１のバーコード７３を読み取ったとする。バーコードリーダ１０は、読み取ったバーコード７３が示す識別情報「１２３４５６７８９」を、制御部３０に送信する。
【００５７】
ユーザは、バーコード７３を読み取った後、バーコード７３を読み取った収納袋２１をフレーム７，８のどちらか一方に取付ける。ユーザは、収納袋２１をフレーム７，８のどちらに取付けてもよく、ここでは、収納袋２１をフレーム７（フレーム７の取付部７ａａ，７１ａｂ）に取付けたとする。フレーム７の取付部７ａｂに設けられているセンサ４３は、収納袋２１の取付けを検出し、検出信号を制御部３０に送信する。
【００５８】
制御部３０は、センサ４３から検出信号を受信すると、バーコードリーダ１０から受信した識別情報「１２３４５６７８９」の収納袋２１は、フレーム情報「Ａ」のフレーム７に取付けられたと判定する。そして、制御部３０は、バーコードリーダ１０から受信した識別情報「１２３４５６７８９」と、フレーム７のフレーム情報「Ａ」とを関連付け、記憶部６１に記憶する。
【００５９】
図６は、記憶部６１のデータ構成例を示す図である。図６に示すように、記憶部６１には、バーコードリーダ１０によって読み取られた収納袋２１の識別情報「１２３４５６７８９」と、収納袋２１が取付けられたフレーム７のフレーム情報「Ａ」とが関連付けて記憶される。
【００６０】
次に、ユーザは、バーコードリーダ１０を用いて、バーコードを読み取っていないもう１つの収納袋２２に印刷されているバーコードを読み取る。バーコードリーダ１０は、読み取ったバーコードが示す識別情報「９８７６５４３２１」を、制御部３０に送信する。
【００６１】
ユーザは、バーコードを読み取った後、収納袋２２をフレーム７，８のどちらか一方に取付ける。ユーザは、既に収納袋２１をフレーム７に取付けているので、収納袋２２をフレーム８に取付ける。フレーム８の取付部８ａｂに設けられているセンサ５３は、収納袋２２の取付けを検出し、検出信号を制御部３０に送信する。
【００６２】
制御部３０は、センサ５３から検出信号を受信すると、バーコードリーダ１０から受信した識別情報「９８７６５４３２１」の収納袋２２は、フレーム情報「Ｂ」のフレーム８に取付けられたと判定する。そして、制御部３０は、バーコードリーダ１０から受信した識別情報「９８７６５４３２１」と、フレーム８のフレーム情報「Ｂ」とを関連付け、記憶部６１に記憶する。
【００６３】
図７は、記憶部６１のデータ構成例を示す図である。図７に示すように、記憶部６１には、バーコードリーダ１０によって読み取られた収納袋２２の識別情報「９８７６５４３２１」と、収納袋２２が取付けられたフレーム８のフレーム情報「Ｂ」とが関連付けて記憶される。なお、図７に示す識別情報「１２３４５６７８９」と、フレーム情報「Ａ」は、先にフレーム７に取付けられた収納袋２１の識別情報と、フレーム７のフレーム情報とである。
【００６４】
このように、識別情報がバーコードリーダ１０によって読み取られた収納袋２１，２２は、複数のフレーム７，８の何れかに取付けられ、収納袋２１，２２が取付けられたフレーム７，８のセンサ４３，５３は、収納袋２１，２２の取付けの検出結果を制御部３０に送信する。そして、制御部３０は、検出結果を送信したセンサ４３，５３に関連付けられているフレーム情報と、通信インタフェース部６２が受信した識別情報とを関連付ける。これにより、収納袋２１，２２は、フレーム７，８のどちらに取付けられてもよく、紙幣処理装置１は、収納袋２１，２２のフレーム７，８への取付け間違えを抑制できる。
【００６５】
なお、上記では、収納袋２１が、先にフレーム７に取付けられ、その後、収納袋２２が、フレーム８に取付けられたが、この順番に限られない。例えば、収納袋２２を先にフレーム７に取付け、その後、収納袋２１をフレーム８に取付けてもよい。これによっても、フレーム７，８に取付けられた収納袋２１，２２の識別情報と、収納袋２１，２２が取付けられたフレーム７，８のフレーム情報は、関連付けられて記憶部６１に記憶される。
【００６６】
また、制御部３０は、例えば、記憶部６１を参照することにより、フレーム７に取付けられている収納袋の識別情報と、フレーム８に取付けられている収納袋の識別情報とを取得できる。制御部３０は、取得した識別情報に基づいて、例えば、収納袋２１に収納されている紙幣の在高と、収納袋２２に収納されている紙幣の在高とを取得できる。
【００６７】
図８は、操作表示部９に表示される画面例を示した図のその１である。ユーザは、２つの収納袋２１，２２のうち、収納袋２１に印刷されているバーコード７３を、バーコードリーダ１０で読み取ったとする。バーコードリーダ１０は、読み取ったバーコード７３が示す識別情報「１２３４５６７８９」を制御部３０に送信する。制御部３０は、バーコードリーダ１０から受信した識別情報「１２３４５６７８９」を、図８の「収納袋Ｎｏ．」に示すように、操作表示部９に表示する。
【００６８】
図９は、操作表示部９に表示される画面例を示した図のその２である。ユーザは、バーコードリーダ１０を用いて、収納袋２１のバーコード７３を読み取ると、バーコード７３を読み取った収納袋２１を、フレーム７，８のいずれか一方に取付ける。ここでは、ユーザは、収納袋２１をフレーム７に取付けたとする。
【００６９】
フレーム７のセンサ４３は、収納袋２１の取付けを検出し、検出信号を制御部３０に送信する。制御部３０は、センサ４３からの検出信号の受信により、収納袋２１は、フレーム情報「Ａ」のフレーム７に取付けられたと判定する。制御部３０は、収納袋２１のフレーム７への取付け判定により、図９の「フレームＡ」に示すように、収納袋２１の識別情報「１２３４５６７８９」を、フレームＡに対応するボックスに表示する。これにより、ユーザは、例えば、操作表示部９を見ると、識別番号「１２３４５６７８９」の収納袋２１が、フレーム情報「Ａ」のフレーム７に取付けられたことを認識できる。
【００７０】
なお、図９に示す「収納袋Ｎｏ．」の欄は、識別情報「１２３４５６７８９」のフレームＡのボックスへの表示（移動）により空欄となる（図８の「収納袋Ｎｏ．」を参照）。また、収納袋２１が、フレーム８に取付けられた場合、収納袋２１の識別情報「１２３４５６７８９」は、フレームＢに対応するボックスに表示される。
【００７１】
図１０は、操作表示部９に表示される画面例を示した図のその３である。ユーザは、収納袋２１をフレーム７に取付けた後、もう１つの収納袋２２のバーコードを、バーコードリーダ１０を用いて読み取る。バーコードリーダ１０は、読み取ったバーコードが示す識別情報「９８７６５４３２１」を制御部３０に送信する。制御部３０は、バーコードリーダ１０から受信した識別情報「９８７６５４３２１」を、図１０の「収納袋Ｎｏ．」に示すように、操作表示部９に表示する。
【００７２】
図１１は、操作表示部９に表示される画面例を示した図のその４である。ユーザは、バーコードリーダ１０を用いて、収納袋２２のバーコードを読み取ると、バーコードを読み取った収納袋２２を、フレーム７，８のいずれか一方に取付ける。フレーム７には、既に収納袋２１が取付けられているので、ユーザは、収納袋２２をフレーム８に取付ける。
【００７３】
フレーム８のセンサ５３は、収納袋２２の取付けを検出し、検出信号を制御部３０に送信する。制御部３０は、センサ５３からの検出信号の受信により、収納袋２２は、フレーム情報「Ｂ」のフレーム８に取付けられたと判定する。制御部３０は、収納袋２２のフレーム８への取付け判定により、図１１の「フレームＢ」に示すように、収納袋２２の識別情報「９８７６５４３２１」を、フレームＢに対応するボックスに表示する。これにより、ユーザは、例えば、操作表示部９を見ると、識別番号「９８７６５４３２１」の収納袋２２が、フレーム情報「Ｂ」のフレーム８に取付けられたことを認識できる。
【００７４】
なお、図１１に示す「収納袋Ｎｏ．」の欄は、識別情報「９８７６５４３２１」のフレームＢのボックスへの表示（移動）により空欄となる（図１０の「収納袋Ｎｏ．」を参照）。
【００７５】
ユーザは、バーコードリーダ１０を用いて、例えば、収納袋２１のバーコード７３を読み取り、バーコード７３を読み取った収納袋２１をフレーム７，８に取付けず、もう一方の収納袋２２のバーコードを読み取る場合がある。この場合、制御部３０は、バーコードリーダ１０から受信する収納袋２１の識別情報「１２３４５６７８９」を、収納袋２２の識別情報「９８７６５４３２１」に上書きする。すなわち、制御部３０は、バーコードリーダ１０から、収納袋２１，２２の一方の識別情報を受信した後、センサ４３，５３から検出信号を受信することなく、収納袋２１，２２の他方の識別情報を受信した場合、後の識別情報を有効な識別情報として処理する。
【００７６】
上記のように、ユーザが、バーコードリーダ１０を用いて、収納袋２１，２２のバーコードを連続して読み取った場合、図８の「収納袋Ｎｏ．」に表示される識別情報が切り替わる。例えば、ユーザが、バーコードリーダ１０を用いて、収納袋２１のバーコード７３を読み取ったとき、図８の「収納袋Ｎｏ．」には、「１２３４５６７８９」が表示される。その後、ユーザが収納袋２１をフレーム７，８に取付けずに収納袋２２のバーコードを読み取ると、図８の「収納袋Ｎｏ．」に表示されている「１２３４５６７８９」は、「９８７６５４３２１」に表示が切り替わる。
【００７７】
図１２は、制御部３０の動作例を示したフローチャートである。ユーザは、バーコードリーダ１０を用いて、収納袋２１および収納袋２２のいずれか一方のバーコードを読み取る。制御部３０は、バーコードリーダ１０から、バーコードリーダ１０が読み取った収納袋２１，２２の識別情報を受信する（ステップＳ１）。
【００７８】
なお、ユーザは、バーコードリーダ１０を用いてバーコードを読み取った後、バーコードを読み取った収納袋２１，２２をフレーム７，８に取付ける。
【００７９】
制御部３０は、フレーム７，８のセンサ４３，５３から、検出信号を受信する（ステップＳ２）。
【００８０】
制御部３０は、ステップＳ２にて受信した検出信号から、収納袋２１，２２が取付けられたフレーム７，８のフレーム情報を取得する（ステップＳ３）。例えば、制御部３０は、センサ４３から検出信号を受信した場合、収納袋２１，２２が取付けられたフレームはフレーム７と判定し、フレーム情報「Ａ」を取得する。これに対し、制御部３０は、センサ５３から検出信号を受信した場合、収納袋２１，２２が取付けられたフレームはフレーム８と判定し、フレーム情報「Ｂ」を取得する。
【００８１】
制御部３０は、ステップＳ１にて受信した識別情報と、ステップＳ３にて取得したフレーム情報とを関連付け、記憶部６１に記憶する（ステップＳ４）。
【００８２】
制御部３０は、ユーザが、バーコードリーダ１０を用いて、バーコードを読み取っていないもう一方の収納袋２１，２２のバーコードの識別情報を読み取った場合、ステップＳ１〜Ｓ４の処理を実行する。
【００８３】
以上説明したように、収納袋２１，２２に紙幣を収納する紙幣処理装置１は、各々を識別する識別情報が付された複数の収納袋２１，２２がそれぞれ取付けられる複数のフレーム７，８と、識別情報を読み取るバーコードリーダ１０から、識別情報を受信する通信インタフェース部６２と、を有する。また、紙幣処理装置１は、通信インタフェース部６２が受信した識別情報が付された収納袋２１，２２が取付けられたフレーム７，８のフレーム情報を取得し、通信インタフェース部６２が受信した識別情報と関連付ける制御部３０を有する。これにより、収納袋２１，２２は、フレーム７，８のどちらに取付けられてもよく、紙幣処理装置１は、収納袋２１，２２のフレーム７，８への取付け間違えを抑制できる。
【００８４】
なお、上記では、収納袋２１，２２の識別情報をバーコードリーダ１０で読み取ったが、これに限られない。例えば、収納袋２１，２２のバーコードの下部には、数字等で示される識別情報が印刷されており、この識別情報を操作表示部９が、ユーザから受付けてもよい。
【００８５】
［第２の実施の形態］
第２の実施の形態では、フレーム７，８にフレーム情報を示すバーコードが付される。制御部３０は、フレーム７，８に付されたフレーム情報と、フレーム７，８に取付けられた収納袋２１，２２の識別情報とを関連付け、記憶部６１に記憶する。
【００８６】
図１３は、第２の実施の形態に係るフレーム７の斜視図である。図１３では、取付部７ａａ，７ａｂおよびステージ７ｂａ，７ｂｂの図示を省略している。図１３に示すように、フレーム７には、フレーム７のフレーム情報「Ａ」を示すバーコード９１が付されている。フレーム８も、フレーム７と同様に、フレーム８のフレーム情報「Ｂ」を示すバーコードが付されている。
【００８７】
図１４は、ユーザの操作手順例を示した図である。まず、ユーザは、２つの収納袋２１，２２をフレーム７，８に取付ける。ユーザは、２つの収納袋２１，２２のそれぞれをフレーム７，８のどちらに取付けてもよい。ここでは、ユーザは、収納袋２１をフレーム７に取付け、収納袋２２をフレーム８に取付けたとする（ステップＳ１１）。
【００８８】
ユーザは、２つの収納袋２１，２２をフレーム７，８に取付けると、バーコードリーダ１０を用いて、フレーム７，８に付されているバーコードの何れか一方を読み取る。ユーザは、フレーム７，８に付されているバーコードのどちらを先に読み取ってもよい。ここでは、ユーザは、バーコードリーダ１０を用いて、フレーム７のバーコード９１を読み取ったとする（ステップＳ１２）。
【００８９】
ユーザは、バーコードリーダ１０を用いて、フレーム７，８のバーコードを読み取ると、バーコードを読み取ったフレーム７，８に取付けられている収納袋２１，２２のバーコードを読み取る。上記例の場合、ユーザは、バーコードリーダ１０を用いて、フレーム７のバーコード９１を読み取っているので、フレーム７に取付けられた収納袋２１のバーコード７３を読み取る（ステップＳ１３）。
【００９０】
なお、制御部３０は、ステップＳ１２にて読み取られたフレーム７のフレーム情報と、ステップＳ１３にて読み取られた収納袋２１の識別情報とを関連付け、記憶部６１に記憶する。
【００９１】
ユーザは、バーコードリーダ１０を用いて、バーコードを読み取っていないもう一方のフレーム７，８のバーコードを読み取る。上記例の場合、ユーザは、ステップＳ１２にてフレーム７のバーコードを読み取っているので、フレーム８のバーコードを読み取る（ステップＳ１４）。
【００９２】
ユーザは、バーコードリーダ１０を用いて、フレーム７，８のバーコードを読み取ると、バーコードを読み取ったフレーム７，８に取付けられている収納袋２１，２２のバーコードを読み取る。ユーザは、ステップＳ１４にてバーコードリーダ１０を用いて、フレーム８のバーコードを読み取っているので、フレーム８に取付けられた収納袋２２のバーコードを読み取る（ステップＳ１５）。
【００９３】
なお、制御部３０は、ステップＳ１４にて読み取られたフレーム８のフレーム情報と、ステップＳ１５にて読み取られた収納袋２２の識別情報とを関連付け、記憶部６１に記憶する。
【００９４】
図１５は、制御部３０の動作例を示したフローチャートである。ユーザによって、フレーム７，８に収納袋２１，２２が取付けられたとする。
【００９５】
ユーザは、バーコードリーダ１０を用いて、フレーム７，８のいずれか一方のバーコードを読み取る。制御部３０は、バーコードリーダ１０が読み取ったフレーム７，８（いずれか一方）のフレーム情報を、バーコードリーダ１０から受信する（ステップＳ２１）。
【００９６】
ユーザは、フレーム情報を読み取ったフレーム７，８に取付けられている収納袋２１，２２のバーコードを、バーコードリーダ１０を用いて読み取る。制御部３０は、バーコードリーダ１０が読み取った収納袋２１，２２の識別情報を、バーコードリーダ１０から受信する（ステップＳ２２）。
【００９７】
制御部３０は、ステップＳ２１にて受信したフレーム情報と、ステップＳ２２にて受信した識別情報とを関連付け、記憶部６１に記憶する（ステップＳ２３）。
【００９８】
制御部３０は、フレーム情報を読み取っていないもう一方のフレーム７，８のバーコードを、ユーザがバーコードリーダ１０を用いて読み取った場合、ステップＳ２１〜Ｓ２３の処理を実行する。
【００９９】
以上説明したように、フレーム情報は、複数のフレーム７，８のそれぞれに付され、通信インタフェース部６２は、フレーム情報を読み取るバーコードリーダ１０から、フレーム情報を受信する。制御部３０は、通信インタフェース部６２が受信した識別情報と、フレーム情報とを関連付ける。これにより、収納袋２１，２２は、フレーム７，８のどちらに取付けられてもよく、紙幣処理装置１は、収納袋２１，２２のフレーム７，８への取付け間違えを抑制できる。
【０１００】
なお、図１４のステップＳ１２，Ｓ１３の操作手順の順番は逆でもよい。また、ステップＳ１４，Ｓ１５の操作手順の順番は逆でもよい。この場合、図１５のステップＳ２１，Ｓ２２の処理の順番が入れ替わる。
【０１０１】
また、上記では、ユーザは、２つの収納袋２１，２２をフレーム７，８に取付けた後、フレーム７，８のバーコードおよび収納袋２１，２２のバーコードを読み取ったが、これに限られない。例えば、ユーザは、収納袋２１，２２のうちの１つを、フレーム７，８のいずれか一方に取付けた後、収納袋２１，２２のバーコードと、収納袋２１，２２が取付けられたフレーム７，８のバーコードとを読み取る。その後、ユーザは、収納袋２１，２２を取付けていないもう一方のフレーム７，８に、もう一方の収納袋２１，２２を取付け、収納袋２１，２２のバーコードと、収納袋２１，２２が取付けられたフレーム７，８のバーコードとを読み取ってもよい。
【０１０２】
また、フレーム７，８のフレーム情報は、バーコードで読み取られるので、取付部７ａｂ，８ａｂは、センサ４３，５３を備えなくてもよい。もちろん、取付部７ａｂ，８ａｂは、センサ４３，５３を備えていてもよい。取付部７ａｂ，８ａｂが、センサ４３，５３を備える場合、制御部３０は、収納袋２１，２２がフレーム７，８に取付けられたか否かを判定できる。制御部３０は、収納袋２１，２２がフレーム７，８に取付けられたと判定した場合、バーコードリーダ１０のバーコードの読み取り動作を可能にするよう制御してもよい。すなわち、制御部３０は、収納袋２１，２２がフレーム７，８に取付けられていない場合、バーコードリーダ１０がバーコードを読み取れないようにしてもよい。または、制御部３０は、バーコードリーダ１０から送信される識別情報を受信しないようにしてもよい。この処理によって、例えば、収納袋２１のバーコードを読み取って、フレーム７に取付け、フレーム８のバーコードを読み取るという誤った操作を抑制できる。
【０１０３】
また、制御部３０は、バーコードリーダ１０から受信する識別情報とフレーム情報とを、受信した順番が分かるように記憶部６１に記憶してもよい。そして、制御部３０は、識別情報およびフレーム情報の受信順に基づいて、識別情報とフレーム情報とを連付けてもよい。
【０１０４】
例えば、フレーム情報および識別情報のいずれか一方が連続して受信され、記憶部６１に記憶され、その後、フレーム情報および別情報の他方が連続して受信され、記憶部６１に記憶されるとする。この場合、制御部３０は、連続して記憶されたフレーム情報および識別情報のいずれか一方の順番と、連続して記憶されたフレーム情報および識別情報のいずれか他方との順番とを合わせ、フレーム情報と識別情報とを関連付ける。
【０１０５】
より具体的には、フレーム７のフレーム情報をバーコードリーダ１０で読み取って、フレーム８のフレーム情報をバーコードリーダ１０で読み取り、フレーム７に取付けられた収納袋２１の識別情報をバーコードリーダ１０で読み取り、フレーム８に取付けられた収納袋２２の識別情報をバーコードリーダで読み取る、という読取手順が決められているとする。
【０１０６】
この場合、記憶部６１には、フレーム７のフレーム情報が記憶され、次にフレーム８のフレーム情報が記憶される。また、記憶部６１には、フレーム８のフレーム情報が記憶された後、収納袋２１の識別情報が記憶され、次に収納袋２２の識別情報が記憶される。制御部３０は、記憶部６１に記憶されたフレーム情報うち、最初に記憶されたフレーム７のフレーム情報と、記憶部６１に記憶された識別情報のうち、最初に記憶された収納袋２１の識別情報とを関連付ける。また、制御部３０は、記憶部６１に記憶されたフレーム情報のうち、２番目に記憶されたフレーム８のフレーム情報と、記憶部６１に記憶された識別情報のうち、２番目に記憶された収納袋２２の識別情報とを関連付ける。このように、制御部３０は、記憶部６１に記憶される順番を利用して、フレーム情報と識別情報とを関連付けてもよい。
【０１０７】
また、バーコードリーダ１０は、フレーム７のバーコードと、フレーム７に取付けられた収納袋のバーコードとを一括して（同時に）読み取ってもよい。そして、制御部３０は、一括して読み取られたフレーム７のフレーム情報と、フレーム７に取付けられた収納袋の識別情報とを、通信インタフェース部６２を介して受信してもよい。また、バーコードリーダ１０は、フレーム８のバーコードと、フレーム８に取付けられた収納袋のバーコードとを一括して読み取ってもよい。そして、制御部３０は、一括して読み取られたフレーム８のフレーム情報と、フレーム８に取付けられた収納袋の識別情報とを、通信インタフェース部６２を介して受信してもよい。この場合、例えば、フレーム７のバーコードを読み取って、フレーム８に取付けられた収納袋のバーコードを読み取るという誤った操作を抑制できる。
【０１０８】
上記の一括読み取りの場合、フレーム７のフレーム情報は、バーコードリーダ１０によって、フレーム７に取付けられた収納袋の識別情報と一括して読み取られる位置に付されてもよい。同様に、フレーム８のフレーム情報は、バーコードリーダ１０によって、フレーム８に取付けられた収納袋の識別情報と一括して読み取られる位置に付されてもよい。例えば、フレーム７，８のバーコードは、フレーム７，８に取付けられた収納袋２１，２２のバーコードが向いている方向と同じ方向を向くように、フレーム７，８に付されてもよい。
【０１０９】
図１６は、フレーム７のバーコード９１と収納袋２１のバーコード７３との向きを説明する図である。図１６には、フレーム７と、収納袋２１と、が示してある。図１６では、取付部７ａａ，７ａｂおよびステージ７ｂａ，７ｂｂの図示を省略している。また、図１６では、取付部７ａａ，７ａｂおよびステージ７ｂａ，７ｂｂの図示の省略に伴い、収納袋２１が懸架される様子を省略している。
【０１１０】
フレーム７に取付けられた収納袋２１のバーコード７３は、収納袋２１の＋ｙ軸方向を向く面に印刷されている。フレーム７のバーコード９１は、フレーム７の＋ｙ軸方向を向く面に付されている。すなわち、フレーム７は、収納袋２１が取付けられたときの、収納袋２１のバーコード７３が付されている面（＋ｙ軸方向を向く面）と同じ方向を向く面に、バーコード９１が付されている。これにより、収納袋２１のバーコード７３と、フレーム７のバーコード９１は、同一方向（＋ｙ軸方向）を向くので、バーコードリーダ１０は、収納袋２１のバーコード７３と、フレーム７のバーコード９１とを一括して読み取ることが可能となる。収納袋２１のバーコード７３は、±ｙ軸方向を向く面（両面）に印刷されていてもよい。
【０１１１】
また、収納袋２１，２２のバーコードは、収納袋２１，２２がフレーム７，８に取付けられたとき、ステージ７ｂａ，７ｂｂ，８ｂａ，８ｂｂの直ぐ下に位置する場所に印刷されてもよい。
【０１１２】
図１７は、収納袋２１のバーコード７３の印刷位置の一例を示した図である。図１７には、フレーム７の取付部７ａａと、ステージ７ｂａと、収納袋２１の一部と、が示してある。図１７では、取付部７ａａのピン８１ａ〜８１ｃの図示を省略している。
【０１１３】
図１７に示すように、収納袋２１のバーコード７３は、収納袋２１がたくれないようフレーム７に取付けられたとき（例えば、図１に示すように、ステージ７ｂａ，７ｂｂ付近で、収納袋２１がたくれないようフレーム７に取付けられたとき）、ステージ７ｂａの直下に位置するよう印刷されている。例えば、バーコード７３は、ステージ７ｂａから、数センチ（例えば、１ｃｍ〜２ｃｍ）下に位置する場所に印刷されている。また、バーコード７３は、長手方向がｚ軸方向と平行になるように印刷されている。
【０１１４】
図１８は、収納袋２１のたくれた例を示した図である。図１８には、フレーム７の取付部７ａａ，７ａｂと、ステージ７ｂａ，７ｂｂと、収納袋２１の一部と、が示してある。図１８では、取付部７ａａのピン８１ａ〜８１ｃ，８２ａ〜８２ｃの図示を省略している。
【０１１５】
図１８に示すように、収納袋２１は、ステージ７ｂａ，７ｂｂ付近でたくれている。収納袋２１がたくれた状態でフレーム７に取付けられると、紙幣は、収納袋２１に収納されず、収納不良を起こす場合がある。
【０１１６】
図１９は、収納袋２１がたくれたときのバーコード７３の様子を示した図である。図１９において、図１７と同じものには同じ符号が付してある。収納袋２１がたくれると、ステージ７ｂａの直下に印刷されたバーコード７３は、図１９に示すように、ステージ７ｂａに隠れる。そのため、ユーザは、バーコードリーダ１０を用いて、収納袋２１のバーコード７３を読み取ることができない。
【０１１７】
このように、バーコード７３が、たくれによってステージ７ｂａに隠れると、ユーザは、収納袋２１のたくれをとらないと、バーコードリーダ１０を用いて、収納袋２１のバーコード７３を読み取ることができない。つまり、ユーザは、収納袋２１をフレーム７に取付けたとき、収納袋２１のたくれを取ることになる。これにより、紙幣処理装置１は、紙幣を収納袋２１に適切に収納することができる。
【０１１８】
また、フレーム情報は、バーコードリーダ１０が読み取り可能な方向（ユーザが、バーコードリーダ１０を用いて、バーコードを読み取れる方向）を向くように、フレーム７，８に付されてもよい。
【０１１９】
例えば、紙幣処理装置１の前方（例えば、図１の左から右に向って見たときの紙幣処理装置１）に設けられている扉を開け、フレーム７，８を紙幣処理装置１の装置外に引き出す（＋ｙ軸方向に引き出す）。フレーム情報は、紙幣処理装置１の装置外に引き出されたフレーム７，８の、バーコードリーダ１０が読み取り可能な方向を向くように付されている。例えば、フレーム７のフレーム情報は、フレーム７の＋ｙ軸方向を向く面に付され、フレーム８のフレーム情報は、フレーム８の−ｙ軸方向を向く面に付される。
【０１２０】
また、フレーム７，８は、収納袋２１，２２のバーコードが、前記の読み取り可能な方向を向くように、収納袋２１，２２が取付けられる機構を有してもよい。
【０１２１】
例えば、図４の取付部７ａａのピン８１ａ〜８１ｃと、取付部７ａｂのピン８２ａ〜８２ｃは、互いに異なる位置に設けられている。例えば、取付部７ａａを１８０度回転すると、取付部７ａａのピン８１ａ〜８１ｃの位置は、取付部７ａｂのピン８２ａ〜８２ｃの位置と異なる。このため、図４に示した取付部７ａａ，７ａｂに、図３に示した収納袋２１を取付けると、バーコード７３は、＋ｙ軸方向を向く。つまり、図３に示した収納袋２１は、バーコード７３が付された面が−ｙ軸方向を向くように取付けられることがない。
【０１２２】
上記例のように、フレーム７のフレーム情報は、＋ｙ軸方向から読み取り可能なように、フレーム７の＋ｙ軸方向を向く面に付されているとする。収納袋２１のバーコード７３は、−ｙ軸方向を向くことなく、＋ｙ軸方向を向くように取付けられる。これによって、フレーム７のフレーム情報と、収納袋２１のバーコード７３は、＋ｙ軸方向から、バーコードリーダ１０によって容易に読み取られる。
【０１２３】
収納袋２１，２２のバーコードが、前記の読み取り可能な方向を向く機構は、上記例に限られない。例えば、取付部７ａａのピン数と、取付部７ａｂのピン数とが異なっていてもよい。また、取付部７ａａのピンの形状と、取付部７ａｂのピンの形状とが異なっていてもよい。
【０１２４】
また、制御部３０は、フレーム情報および識別情報が一括読み取りされる場合において、フレーム情報および識別情報の一方のみが読み取られた場合、フレーム情報および識別情報の他方が読み取られなかったことをユーザに通知してもよい。例えば、制御部３０は、音声によってフレーム情報および識別情報の他方が読み取られなかったことをユーザに通知してもよい。これにより、ユーザは、バーコードリーダ１０を用いて、再度フレーム情報および識別情報を一括読み取りすることができる。
【０１２５】
また、制御部３０は、フレーム情報および識別情報が一括読み取りされる場合において、収納袋の取り付けを検知した後、所定時間内にフレーム情報および識別情報の少なくとも一方の読み取りがされない場合、フレーム情報および識別情報の少なくとも一方の読み取りがされなかったことをユーザに通知してもよい。
【０１２６】
上記各実施の形態で説明した収納袋２１，２２の識別情報と、収納袋２１，２２の識別情報と関連付けられたフレーム７，８のフレーム情報とは、記憶部６１に記憶されるとしたが、これに限られない。制御部３０は、関連付けた識別情報とフレーム情報とを、通信インタフェース部６２を介して、上位装置に送信してもよい。
【０１２７】
また、上記各実施の形態で説明した収納袋２１，２２を識別する識別情報は、バーコードに限られない。収納袋２１，２２を識別する識別情報は、ＱＲコード（登録商標）やカラーコード等であってもよい。フレーム７，８に付されるフレーム情報も、バーコードに限られず、ＱＲコードやカラーコード等であってもよい。
【０１２８】
また、上記各実施の形態で説明した収納袋２１，２２の識別情報と、フレーム７，８のフレーム情報との関連付は、紙幣処理装置１に接続されるＰＣ（Personal Computer）やサーバ等の情報処理装置が行ってもよい。例えば、情報処理装置は、図２に示した制御部３０の機能を有し、バーコードリーダ１０から送信される収納袋２１，２２の識別情報およびフレーム７，８のフレーム情報を受信してもよい。また、情報処理装置は、センサ４３，５３が出力する検知信号を受信してもよい。そして、情報処理装置は、収納袋２１，２２の識別情報と、フレーム７，８のフレーム情報とを関連付け、メモリ等の記憶部に記憶してもよい。また、上位装置が情報処理装置の機能を有してもよい。
【符号の説明】
【０１２９】
１  紙幣処理装置
２  投入部
２ａ  繰出機構部
３  搬送部
４  識別部
５  収納繰出部
６  投出部
６ａ  羽根車駆動部
７，８  フレーム
７ａａ，７ａｂ，８ａａ，８ａｂ  取付部
７ｂａ，７ｂｂ，８ｂａ，８ｂｂ  ステージ
９  操作表示部
１０  バーコードリーダ
２１，２２  収納袋
３０  制御部
４１，５１  ステージ駆動部
４２，５２  加熱部
４３，５３  センサ
６１  記憶部
６２  通信インタフェース部
７１ａ〜７１ｃ，７２ａ〜７２ｃ  穴
７３，９１  バーコード
８１ａ〜８１ｃ，８２ａ〜８２ｃ  ピン
Ｐ１  紙幣
【図１】
2019179396.tif 000003
【図２】
2019179396.tif 000004
【図３】
2019179396.tif 000005
【図４】
2019179396.tif 000006
【図５】
2019179396.tif 000007
【図６】
2019179396.tif 000008
【図７】
2019179396.tif 000009
【図８】
2019179396.tif 000010
【図９】
2019179396.tif 000011
【図１０】
2019179396.tif 000012
【図１１】
2019179396.tif 000013
【図１２】
2019179396.tif 000014
【図１３】
2019179396.tif 000015
【図１４】
2019179396.tif 000016
【図１５】
2019179396.tif 000017
【図１６】
2019179396.tif 000018
【図１７】
2019179396.tif 000019
【図１８】
2019179396.tif 000020
【図１９】
2019179396.tif 000021